(57)【特許請求の範囲】
【請求項１】
磁気ヘッドと、前記磁気ヘッドをテープと接触するプレイ位置およびテープから離れるストップ位置との間で移動させるカムと、前記カムと共に回転する切換ギヤと、前記切換ギヤに動力を伝達する駆動ギヤと、前記切換ギヤをロックするロック部材と、前記ロック部材を動作させるソレノイドとを有するテーププレーヤにおいて、
前記切換ギヤには、前記磁気ヘッドが前記プレイ位置のときに前記ロック部材に掛止される第１の係合部と、前記磁気ヘッドが前記ストップ位置のときに前記ロック部材に掛止される第２の係合部、および前記第１の係合部と前記第２の係合部との間に位置する第３の係合部と、さらに、前記各係合部が前記ロック部材に掛止されているときに、前記駆動ギヤに対向する欠歯部とを有し、
前記切換ギヤが回転するときに、前記ロック部材に対して、前記第１の係合部、前記第３の係合部、前記第２の係合部の順に対向するように前記各係合部が配置されており、
前記ソレノイドが非励磁状態のときに、前記ロック部材が前記第１の係合部および前記第２の係合部に掛止され、前記ソレノイドが励磁状態のときに前記ロック部材が前記第３の係合部に掛止され、且つ前記ロック部材が前記第２の係合部に係合する前に、前記ロック部材が前記第３の係合部に掛止されるように、前記ソレノイドの励磁が制御され、
電源投入時に、前記ソレノイドを励磁状態とし、前記ロック部材が前記第３の係合部に当たるまで前記ソレノイドの励磁を継続し、その後に前記ソレノイドの励磁を解除して、前記ロック部材で前記第２の係合部を掛止させるように、前記ソレノイドの励磁が制御されることを特徴とするテーププレーヤ。
【請求項２】
前記ソレノイドの励磁時間は、前記切換ギヤの１回転以上の時間に設定される請求項１記載のテーププレーヤ。
【請求項３】
前記プレイ状態から前記ストップ状態へ至る操作がなされたときに、前記ソレノイドを励磁状態とし、前記ロック部材が前記第３の係合部に当たるまで前記ソレノイドの励磁を継続し、その後に前記ソレノイドの励磁を解除して、前記ロック部材で前記第２の係合部を掛止させるように、前記ソレノイドの励磁が制御される請求項１記載のテーププレーヤ。
【請求項４】
前記ソレノイドの励磁時間は、前記ロック部材が前記第２の係合部から外れ、前記切換ギヤが回転して、前記ロック部材が前記第１の係合部を通過し、前記第３の係合部が前記ロック部材に掛止されるまでの時間以上に設定される請求項３記載のテーププレーヤ。
【発明の詳細な説明】
【０００１】
【発明の属する技術分野】
本発明は、モータの力によって磁気ヘッドを移動させ、前記磁気ヘッドを複数の動作モード位置に設定する切換え手段を有するテーププレーヤに関する。
【０００２】
【従来の技術】
従来のテーププレーヤには、記録ヘッドおよび／または再生ヘッドなどの磁気ヘッドがヘッドベース上に搭載されている。前記テーププレーヤに設けられた各種の操作スイッチを押すことにより、前記ヘッドベースをプレイモード、キュー／レビューモード、あるいはストップモードの各動作モードに設定させることが可能とされている。この場合、ヘッドベースがカセットテープに対し、接近する方向および離れる方向に移動可能な状態に構成されており、前記磁気ヘッドがテープと所定の対向間隔に設定されることにより前記各動作モードが設定される。
【０００３】
【発明が解決しようとする課題】
しかし、この種のテーププレーヤでは、電源投入直後に機構がストップモード以外の状態になっていたときに、これを検知してストップモードに戻すことが必要である。また、プレイモード設定時に誤って機構がストップモードなどになっていたときも、ストップモードの操作を行ったときに、機構が既にストップ状態であることを検知して、モータなどを起動しないように制御することが必要である。
【０００４】
そのため、従来は、磁気ヘッドが各モード位置へ至っていることを検知するスイッチなどの検知手段が設けられていた。しかし、前記検知手段は、磁気ヘッドが各モード位置へ至ったときにこれを検知できるように各モードに対応して複数設けることが必要である。よって機構の構成部品数が増え、製造コストも増加する問題がある。
【０００５】
また、従来のテーププレーヤにおいては、ソレノイドを通電することにより、プレイモードが設定されるものが主流である。この場合、プレイモード動作中にソレノイドが励磁し続けるため、消費電力が増大するという問題がある。
【０００６】
本発明は上記従来の問題を解決するためのものであり、ヘッド位置の検知手段を設けることなく、各モードを正確に設定でき、またプレイモードのときのソレノイドの消費電力を低減できるテーププレーヤを提供することを目的としている。
【０００７】
【課題を解決するための手段】
本発明は、磁気ヘッドと、前記磁気ヘッドをテープと接触するプレイ位置およびテープから離れるストップ位置との間で移動させるカムと、前記カムと共に回転する切換ギヤと、前記切換ギヤに動力を伝達する駆動ギヤと、前記切換ギヤをロックするロック部材と、前記ロック部材を動作させるソレノイドとを有するテーププレーヤにおいて、
前記切換ギヤには、前記磁気ヘッドが前記プレイ位置のときに前記ロック部材に掛止される第１の係合部と、前記磁気ヘッドが前記ストップ位置のときに前記ロック部材に掛止される第２の係合部、および前記第１の係合部と前記第２の係合部との間に位置する第３の係合部と、さらに、前記各係合部が前記ロック部材に掛止されているときに、前記駆動ギヤに対向する欠歯部とを有し、
前記切換ギヤが回転するときに、前記ロック部材に対して、前記第１の係合部、前記第３の係合部、前記第２の係合部の順に対向するように前記各係合部が配置されており、
前記ソレノイドが非励磁状態のときに、前記ロック部材が前記第１の係合部および前記第２の係合部に掛止され、前記ソレノイドが励磁状態のときに前記ロック部材が前記第３の係合部に掛止され、且つ前記ロック部材が前記第２の係合部に係合する前に、前記ロック部材が前記第３の係合部に掛止されるように、前記ソレノイドの励磁が制御され、
電源投入時に、前記ソレノイドを励磁状態とし、前記ロック部材が前記第３の係合部に当たるまで前記ソレノイドの励磁を継続し、その後に前記ソレノイドの励磁を解除して、前記ロック部材で前記第２の係合部を掛止させるように、前記ソレノイドの励磁が制御されることを特徴とするものである。
【０００８】
このように、切換ギヤの第２の係合部がロック部材に掛止される前に、必ず第３の係合部がロック部材に掛止されることにより、ストップモードを確実に設定できるようになる。またプレイモードおよびストップモードのときにソレノイドが非励磁であるため、消費電力を低減できる。
【００１０】
この場合、前記ソレノイドの励磁時間は、前記切換ギヤの１回転以上の時間に設定される。
【００１１】
この制御を行うと、電源投入時に磁気ヘッドがストップ位置以外の位置にあったとしても、必ずストップ位置に設定できる。
【００１２】
あるいは、前記プレイ状態から前記ストップ状態へ至る操作がなされたときに、前記ソレノイドを励磁状態とし、前記ロック部材が前記第３の係合部に当たるまで前記ソレノイドの励磁を継続し、その後に前記ソレノイドの励磁を解除して、前記ロック部材で前記第２の係合部を掛止させるように、前記ソレノイドの励磁が制御される。
【００１３】
この場合、前記ソレノイドの励磁時間は、前記ロック部材が前記第２の係合部から外れ、前記切換ギヤが回転して、前記ロック部材が前記第１の係合部を通過し、前記第３の係合部が前記ロック部材に掛止されるまでの時間以上に設定される。
【００１４】
このようにすると、例えばプレイモード設定時に、磁気ヘッドがプレイ位置以外の位置、例えばストップ位置にあり、このときストップモードの設定操作が行われたときにも、かならず磁気ヘッドをストップ位置へ戻せるようになる。
【００１５】
【発明の実施の形態】
以下、本発明について図面を参照して説明する。
【００１６】
図１は、本発明における実施の形態として、テーププレーヤの主要部分を示す平面図である。
【００１７】
図１に示すように、このテーププレーヤ１内のシャーシ１０上には、キャプスタン１２が設けられている。シャーシ１０の背面側（裏側）には、前記キャプスタン１２と同軸にフライホイール１４が設けられており、このフライホイール１４が図示しない駆動モータＭにより回転させられることにより、前記キャプスタン１２が回転させられる。前記フライホイール１４の基部には、駆動ギヤ３０が設けられており、フライホイール１４とともに回転する。
【００１８】
シャーシ１０の表面には、磁気ヘッド１１が搭載されたヘッドベース１５が設けられており、テープ（図示せず）に接近する方向（Ｙ１方向）及び離間する方向（Ｙ２方向）に移動可能とされている。シャーシ１０上には、図示しないガイドピンが設けられており、ヘッドベース１５は前記ガイドピンに案内されて図示Ｙ１方向およびＹ２方向に直線的に移動可能とさせれている。またシャーシ１０とヘッドベース１５との間には、コイルスプリングなどからなる付勢部材Ｓ１が設けられており、ヘッドベース１５はＹ２方向に付勢されている。
【００１９】
前記ヘッドベース１５がＹ１方向に移動させられ、磁気ヘッド１１がテープに摺接するプレイ位置に至ったときがプレイモードであり、その反対にヘッドベース１５がＹ２方向に移動させられ、磁気ヘッド１１がテープから離れたストップ位置に至ったときがストップモードである。
【００２０】
前記シャーシ１０には、前記キャプスタン１２に対向するピンチローラ１６が設けられている。前記ピンチローラ１６を支持するローラーアーム１６ａはシャーシ１０で軸１６ｂに回動自在に支持されている。ヘッドベース１５がＹ１方向に移動させられると、その移動力が線ばねなどを介して前記ローラーアーム１６ａに与えられ、ピンチローラ１６がキャプスタン１２に当接させられる。またヘッドベース１５がＹ２方向に移動するときに、ピンチローラ１６がキャプスタン１２から離される。
【００２１】
前記シャーシ１０の裏面には、切換ギヤ２０が設けられている。図２Ａは切換ギヤの表面を示す平面図、図２Ｂは切換ギヤの側面図、図２Ｃは切換ギヤの裏面を示す底面図である。
【００２２】
前記切換ギヤ２０は中心部に軸２１を有し、前記軸２１によりシャーシ１０に回転自在に支持されている。切換ギヤ２０の外周面には、所定のピッチからなるギヤ歯２２が形成されており、このギヤ歯２２に前記駆動ギヤ３０が噛み合う。駆動ギヤ３０により、前記切換ギヤ２０がα方向に回転させられる。また前記ギヤ歯２２には３つの欠歯部２２ａ，２２ｂおよび２２ｃが形成されている。そして、前記駆動ギヤ３０が各欠歯部２２ａ，２２ｂおよび２２ｃに対向したときには、駆動ギヤ３０の回転力が切換ギヤ２０に伝達されないようになっている。
【００２３】
図２Ａ，Ｂに示すように、前記切換ギヤ２０の表面の前記軸２１の周囲には、切換カム２３が突出形成されている。前記ヘッドベース１５の中央部には、開口部１５ｂが形成され、その一部には押圧片１５ａが折り曲げ形成されている。そして、この押圧片１５ａは、前記付勢部材Ｓ１の付勢力によって前記切換カム２３の外周面に圧接させられている。よって、切換ギヤ２０に回転が与えられ、切換カム２３が回転させられると、切換カム２３の形状に応じて前記ヘッドベース１５をＹ１およびＹ２方向に移動させることが可能となっている。
【００２４】
前記切換カム２３には、第１の押圧部２３ａ，第２の押圧部２３ｂおよび第３の押圧部２３ｃが形成されている。第１の押圧部２３ａは、ストップモード設定用であり、前記第１の押圧部２３ａが前記押圧片１５ａに圧接しているときには、ヘッドベース１５がストップモードに設定される（図３参照）。また切換ギヤ２０がα方向に回転させられ、第２の押圧部２３ｂが前記押圧片１５ａに圧せられる位置に至ると、ヘッドベース１５は図示Ｙ１方向に移動させられたプレイモードに設定される（図４参照）。さらに切換ギヤ２０がα方向に回転させられ、第３の押圧部２３ｃが前記押圧片１５ａに圧せられることにより、ヘッドベース１５は中間位置に設定される（図５参照）。
【００２５】
図２Ａに示すように前記切換ギヤ２０の表面での外周には、軸２１を中心とする円形リブ２４Ａが形成され、さらにその外周に円形リブ２４Ｂが形成されている。前記円形リブ２４Ａと円形リブ２４Ｂとの間は案内溝２４ａが形成され、前記案内溝２４ａの一部には外周方向に突出する案内凸部２４ｃが設けられている。なお、前記切換ギヤ２０の表面側（図２Ａに示す面側）がシャーシ１０の背面に対向する関係にある。
【００２６】
一方、図２Ｃに示すように、前記切換ギヤ２０の裏面の外周には、プレイ突起（第１の係合部）２５ａ，ストッパ部（第２の係合部）２５ｂが中心側へ向けて突出形成されている。また前記プレイ突起２５ａとストッパ部２５ｂの内周には、リング状の環状リブ２５Ａが形成されており、この環状リブ２５Ａには外周方向に突出する第３の係合部２５ｃと、同じく外周方向に突出し且つ緩やかな傾斜面からなる第１の起伏部２５ｄおよび第２の起伏部２５ｅが形成されている。
【００２７】
なお、前記プレイ突起２５ａはプレイモード設定用であり、ストッパ部２５ｂはストップモード設定用である。また係合部２５ｃは、前記ストップモードを確実に設定するためのものである。前記切換ギヤ２０がα方向へ回転するときに、前記プレイ突起（第１の係合部）２５ａ、第３の係合部２５ｃ、ストッパ部（第２の係合部）２５ｂの順に、後に説明するロック部材と係合する。
【００２８】
図１及び図３ないし図５に示すように、シャーシ１０の背面側で、かつ前記切換ギヤ２０の近傍にはアーム４０とロック部材５０が設けられている。前記アーム４０は、略Ｌ字形状に形成されシャーシ１０上に突設された軸４１に対し図示β１およびβ２方向に回転自在に支持されている。また前記アーム４０は、腕部４２と４３とを有しており、一方の腕部４２はシャーシ１０の背面と切換ギヤ２０の表面間に位置している。前記腕部４２の先端には、機構の下面側に突出する凸部４２ａが形成されており、上記切換ギヤ２０の案内溝２４ａ内に摺動自在に挿入されている。また他方の腕部４３は、シャーシ１０に形成された開口部１０ａを通じてシャーシ１０の背面側から表面側方向に延び、さらにシャーシ１０の表面よりも上方に突出するような形状で形成されている。そして、前記腕部４３には小ギヤ４４が搭載されており、この小ギヤ４４は腕部４３の下面側で、かつシャーシ１０の表面よりも上方となる位置に支持されている。前記小ギヤ４４を支持する軸４４ａの先端には、回転体４５が固設されている。前記回転体４５は、シャーシ１０の裏面側に設けられており、前記フライホイール１４との間でベルト（図示せず）を介して連結されている。
【００２９】
またシャーシ１０上には、リール台４６，４７と連結ギヤ４８が設けられている。前記一方のリール台４６の外周面には、ギヤ歯４６ａが周設されており、前記連結ギヤ４８に噛み合わされている。前記アーム４０がβ１方向に回動させられ、腕部４３が連結ギヤ４８に接近させられると、連結ギヤ４８と小ギヤ４４を噛み合わせることができ、またアーム４０がβ２方向に回動させられると、連結ギヤ４８と小ギヤ４４との噛み合いを解除することができるようになっている。よって、前記フライホイール１４が回転させられると、前記回転体４５と小ギヤ４４とを一体で回転させることができ、さらに連結ギヤ４８と小ギヤ４４とが噛み合う場合には、連結ギヤ４８を介してリール台４６に回転力を伝達できる。
【００３０】
一方、ロック部材５０は、シャーシ１０の裏面に突設された軸５１に支持され、図示γ１方向およびγ２方向に回転自在となっている。ただし、ロック部材５０には、捩じりコイルばねなどの付勢部材Ｓ２が設けられており、図示γ１方向に付勢されている。なお、ロック部材５０のＹ１側の近傍には、規制片５８が設けられており、γ１方向への回転が規制されている。またロック部材５０は、切換ギヤ２０方向に向けて設けられた腕部５２を有している。前記腕部５２の先端には、ロック部５３が設けられており、切換ギヤ２０に形成された前記プレイ突起２５ａ，ストツパ部２５ｂおよび第３の係合部２５ｃに当接可能とされている。またロック部材５０には掛止部５５が形成されており、シャーシ１０に固設されたソレノイド６０のプランジャ６１の先端と掛止されている。したがって、ソレノイド６０が励磁され、プランジャ６１がソレノイド６０の内部方向に引き込まれると、ロック部材５０はγ２方向に回転させられる。またソレノイド６０が非励磁とされると、前記付勢部材Ｓ２の付勢力によりプランジャ６１が突出し、ロック部材５０はγ１方向に回転させられる。これにより、腕部５２の先端のロック部５３の位置を移動させることが可能となっている。
【００３１】
なお、テーププレーヤ１の内部には、上記駆動モータＭおよびソレノイド６０の駆動およびその停止を制御する制御部が設けられている（図示せず）。
【００３２】
図３ないし図５は、テーププレーヤの各動作モードを示す平面図であり、図３はストップモード、図４はプレイモード、図５はストップモード設定のための中間設定モードである。なおこの中間設定モードにより、磁気ヘッドをテープに軽く圧接させるキュー又はレビューモードを設定することも可能である。図６はソレノイドと駆動モータの動作を示すタイミングチャート図である。
【００３３】
各動作モードについて説明する。
（ストップモード）
図３に示すストップモードでは、駆動モータＭは停止し、駆動ギヤ３０も停止している。ソレノイド６０は非励磁状態とされ、ロック部材５０が付勢部材Ｓ２の付勢力でγ１方向に回動されている。前記付勢力によりロック部材５０先端のロック部５３が、切換ギヤ２０のストッパ部２５ｂに当接し、これを掛止している。また駆動ギヤ３０は、欠歯部２２ａに位置している。
【００３４】
ヘッドベース１５は、切換カム２３の第１の押圧部２３ａにより押圧片１５ａが支持されているため、付勢部材Ｓ１の付勢力によりＹ２方向へ戻されている。
【００３５】
（プレイモード）
図４に示すプレイモードでは、駆動モータＭは駆動状態にあり、ソレノイド６０は非励磁状態にある。よって、ロック部材５０は付勢部材Ｓ２の付勢力によりγ１方向に回動させられ、ロック部材５０先端のロック部５３は、切換ギヤ２０のプレイ突起２５ａに掛止している。また駆動ギヤ３０が欠歯部２２ｃに位置している。よって、回転中の駆動ギヤ３０から切換ギヤ２０に回転力が与えられない。
【００３６】
ただし、アーム４０の凸部４２ａが切換ギヤ２０の案内凸部２４ｃに位置しており、アーム４０はβ１方向に回動させられている。よって、小ギヤ４４が連結ギヤ４８に噛み合っている。すなわち、駆動モータＭの回転力が、フライホイール１４、回転体４５、小ギヤ４４および連結ギヤ４８を介してリール台４６に伝達されている。これにより、テープがリール台４６に巻き取られる。切換カム２３の第２の押圧部２３ｂにより押圧片１５ａがＹ１方向へ押されて、ヘッドベース１５は、Ｙ１方向に移動させられて停止している。このとき磁気ヘッド１１はテープに接触し、またローラーアーム１６ａが時計方向へ回動させられ、ピンチローラ１６とキャプスタン１２とでテープが挟まれている。よって、キャプスタン１２の回転によりテープが定速送りされ、テープに対する記録、再生が可能である。
【００３７】
なお、前記ストップモードとプレイモードでは、ソレノイド６０が非励磁状態に設定されているため、消費電力を低減することができる。
【００３８】
（中間設定モード）
図３に示すストップモードへ至る前に必ず図５の中間設定モードとなる。このモードでは、駆動モータＭが駆動されたまま、ソレノイド６０が励磁され続けている状態である。ロック部材５０はγ２方向に回動させられ、ロック部材５０先端のロック部５３が、環状リブ２５Ａに形成された第３の係合部２５ｃに当接されている。また駆動ギヤ３０が欠歯部２２ｂに位置しているため、回転中の駆動ギヤ３０の回転力が切換ギヤ２０に伝達されない。
【００３９】
またアーム４０の凸部４２ａが、切換ギヤ２０の表面の案内溝２４ａ内に位置して、アーム４０がβ２方向へ回動させられているため、小ギヤ４４が連結ギヤ４８から離れ、駆動モータＭの回転力はリール台４６に伝達されない。
【００４０】
ヘッドベース１５の押圧片１５ａは、切換カム２３の第３の押圧部２３ｃにより支持されており、磁気ヘッド１１はプレイモードよりもわずかにＹ２方向に移動している。
【００４１】
以下、テーププレーヤの切換え装置の動作について説明する。
（１）イニシャライズ
電源が投入されたとき、または装置起動時に、イニシャライズが行われる。テーププレーヤ１の電源が投入されると、制御部は駆動モータＭを始動するとともにソレノイド６０を励磁させる。このときの図６に示すソレノイド６０の励磁時間Ｔ１は、切換ギヤ２０が１回転するのに要する時間よりもわずかに長くなるように設定される。
【００４２】
イニシャライズのときに、機構が図３に示すストップモードであった場合、ソレノイド６０が励磁されると、ロック部材５０がγ２方向に回転させられ、ロック部５３が第２の起伏部２５ｅの傾斜面を押圧するため、切換ギヤ２５が図示α方向に回転させられる。これにより、切換ギヤ２０のギヤ歯２２が駆動ギヤ３０に噛み合うため、切換ギヤ２０が図示α方向に連続的に駆動させられる。
【００４３】
切換ギヤ２０が回転している間、ソレノイド６０が励磁され続けているため、前記ロック部５３が切換ギヤ２０の環状リブ２５Ａの外周面を摺動する。このため、切換ギヤ２０がα方向へ回転する間に、前記ロック部５３が環状リブ２５Ａ上の第１の起伏部２５ｄを乗り越え、さらに第３の係合部２５ｃに当接し、図５に示す中間設定モードにて切換ギヤ２０が停止する。
【００４４】
この中間設定モードに位置している間に、前記励磁状態Ｔ１が経過すると、ソレノイド６０が非励磁になり、付勢部材Ｓ２の付勢力によりロック部材５０がγ１方向に回動させられ、ロック部５３が外周方向に移動させられ、第３の係合部２５ｃから外れる。よって、前記切換ギヤ２０がさらにα方向に回転することにより、ストッパ部２５ｂが前記ロック部５３に当接して切換ギヤ２０の回転が停止させられる。
【００４５】
このように、電源投入時のイニシャライズでは、機構がストップモードになっていたとしても、切換ギヤ２０が１回転して再びストップモードに至るように制御される。この制御を行うことにより、電源投入時に切換ギヤ２０が図３に示すストップモード以外の位置で停止していても必ずストップモードに設定できるようになる。
【００４６】
例えば、テーププレーヤ１が図４に示すプレイモードで停止しており、この時に電源が投入されたときには、ソレノイド６０の励磁によりロック部５３がプレイ突起２５ａから離れ、駆動ギヤ３０により切換ギヤ２０がα方向へ回転させられ、ロック部５３が第３の係合部２５ｃに当たって切換ギヤ２０が図５の状態で停止する。前記励磁時間Ｔ１を越えると、ソレノイド６０が非励磁となり、ロック部５３が第３の係合部２５ｃから外れ、図３のストップモードが設定される。
【００４７】
またテーププレーヤ１が停止しているときに、切換ギヤ２０の第３の係合部２５ｃとストッパ部２５ｂとの中間にロック部５３が位置し、切換ギヤ２０と駆動ギヤ３０とが噛み合った状態で、モータＭが停止していたとする。この状態で電源が投入されると、駆動ギヤ３０が始動し、この駆動ギヤ３０と噛み合っている切換ギヤ２０が直ちにα方向へ回転し始める。このときソレノイド６０が励磁されるため、ロック部５３はストッパ部２５ｂおよびプレイ突起２５ａに当たらず、第２の起伏部２５ｅと第１の起伏部２５ｄを乗り越え、第３の係合部２５ｃに係合するまで切換ギヤ２０が回転して、図５の状態で停止する。この間切換ギヤ２０は１回転より少し小さい角度だけ回転する。そして励磁時間Ｔ１を過ぎて、ソレノイド６０の励磁が解除されると、ロック部５３が第３の係合部２５ｃから離れ、図３に示すストップモードが設定される。
【００４８】
このように、電源停止時に切換ギヤ２０がどの状態で停止していても、電源投入時には必ず、図３のストップモードを設定できる。
【００４９】
（２）プレイモードからストップモードへの移行
テーププレーヤ１の制御部が現在プレイモードに設定されていると認識しているときに、ストップモードを設定する操作が行われると、ソレノイド６０が励磁されるが、この励磁は一定時間Ｔ２だけ継続される。この励磁時間Ｔ２は、図２Ｃに示すように、切換ギヤ２０がα方向に回転したときに、ロック部５３がストッパ部２５ｂを起点としてプレイ突起２５ａを通過し、第３の係合部２５ｃに至る回転角θに相当する時間以上に設定されている。
【００５０】
今、機構が正常に動作しており、前記制御部がプレイモードの設定を認識しているときに、機構の状態が、図４のプレイモードに設定されていたとする。このときにストップモードへ移行する操作が行われると、制御部からの指令によりソレノイド６０が励磁され、プランジャ６１が図示Ｙ１方向（ソレノイド６０の内部方向）に引き込まれる。よって、ロック部材５０がγ２方向に回動させられ、ロック部材５０先端のロック部５３がプレイ突起２５ａから離れるとともに環状リブ２５Ａの外周面上の第１の起伏部２５ｄを押圧するため、切換ギヤ２０がわずかに図示α方向に回転させられる。これにより、切換ギヤ２０のギヤ歯２２が駆動ギヤ３０に噛み合い、切換ギヤ２０がα方向へ回転する。
【００５１】
このとき前記ソレノイド６０が前記時間Ｔ２の長い期間励磁され続けているため、ロック部５３は必ず第３の係合部２５ｃに当たり、切換ギヤ２０が図５の状態で停止する。そして前記時間Ｔ２を過ぎると、ソレノイド６０が非励磁となり、ロック部５３が第３の係合部２５ｃから離れる。ロック部材５０は付勢部材Ｓ２の付勢力でγ１方向へ回動するため、その後の切換ギヤ２０の回転により、ストッパ部２５ｂが前記ロック部５３に当たって切換ギヤ２０が停止し、図４に示すストップモードが確実に設定される。
【００５２】
ここで、ストップモードへの操作を行ったときに、ソレノイド６０の励磁時間Ｔ２が図２Ｃに示す回転角θ以上の長い時間に設定されているため、次のようなアクシデントに対応することができる。
【００５３】
例えば、制御部がプレイモードの設定を認識し、機構が図４に示すプレイモードに設定されているときに、外部から激しい衝撃が与えられたとする。ロック部材５０は付勢部材Ｓ２の付勢力のみで、プレイ突起２５ａに係合しているため、前記衝撃でロック部材５０が動くと、ロック部５３がプレイ突起２５ａから外れることがある。この場合、切換ギヤ２０が駆動ギヤ３０に噛み合って切換ギヤ２０がα方向へ回転し、図３に示すストップモードに移行して停止することになる。すなわち制御部はプレイモードと認識しているにもかかわらず、機構は図３のストップモードに設定されているという誤認識状態となる。この誤認識状態のまま、ストップモードへ移行する操作が行われると、ソレノイド６０が短時間励磁されて、機構は今度は図３に示すストップモードから図４に示すプレイモードに移行してしまう。よって、制御部がストップモードへの移行を指示しているにもかかわらず、機構がプレイモードに移行するという矛盾が生じる。
【００５４】
そこで、制御部がプレイモードを認識しているときのソレノイド６０の励磁時間を前記Ｔ２に設定すると、前記のような誤認識状態への移行を防止できる。
【００５５】
例えば、制御部がプレイモードを認識しているときに、前記のような衝撃などにより、機構が図３に示すストップモードに移行しているとする。このとき、ストップモードへの移行のための操作が行われると、ソレノイド６０が前記Ｔ２時間励磁され続ける。よって、図３に示すストップモードで、ロック部５３がストッパ部２５ｂから外れ、切換ギヤ２０がα方向へ回転するときに、ロック部５３が第１の起伏部２５ｄを乗り越え、プレイ突起２５ａに当たることなく（プレイモードが設定されることなく）、第３の係合部２５ｃに当たって、図５に示す中間設定モードとなって切換ギヤ２０が停止する。
【００５６】
ここで、ソレノイド６０の励磁時間がＴ２を越えると、ソレノイド６０が非励磁になり、ロック部５３が第３の係合部２５ｃから外れて、図３に示すストップモードに移行して停止する。
【００５７】
このように、制御部がプレイモードと認識しているときに、機構がプレイモード以外のモードであったとしても、ストップモードへの移行操作を行うと、プレイモードで停止することなく、必ずストップモードに戻ることができる。なお、前記Ｔ２は、切換ギヤ２０の１回転以上の時間に設定してもよい。すなわち前記Ｔ１＝Ｔ２であってもよい。
【００５８】
（３）ストップモードからプレイモードへの切り換え
この実施の形態では、イニシャライズ、およびプレイモードからストップモードへの切り換え操作をしたときに、必ずストップモードに移行することができる。よって制御部がストップモードと認識しているときは、機構は必ず図３に示すストップモードである。
【００５９】
ストップモードからプレイモードへの切り換え時は、ソレノイド６０が短時間だけ励磁される。これによりロック部５３がストッパ部２５ｂから離れ、第２の起伏部２５ｅに当たり、第２の起伏部２５ｅの傾斜面により切換ギヤ２０がα方向へ回転させられ、切換ギヤ２０が駆動ギヤ３０に噛み合う。そして、切換ギヤ２０がα方向へ回転させられ、ロック部５３がプレイ突起２５ａに当たり、図４に示すプレイモードが設定される。
【００６０】
【発明の効果】
以上詳述した本発明によれば、電源投入時や、プレイモードからストップモードへの移行操作のときに、必ずストップモードを設定でき、制御部と機構の状態が矛盾する誤認識状態を防止できる。またヘッド位置を認識する検出手段も不要である。
【図面の簡単な説明】
【図１】本発明における実施の形態として、テーププレーヤの主要部分を示す平面図、
【図２】Ａは切換ギヤの表面を示す平面図、ＢはＡの側面図、ＣはＡの裏面を示す底面図、
【図３】テーププレーヤの切換え装置における各動作モードのうち、ストップモードを示す部分平面図、
【図４】テーププレーヤの切換え装置における各動作モードのうち、プレイモードを示す部分平面図、
【図５】ストップモード前に設定する中間設定モードを示す部分平面図、
【図６】ソレノイドと駆動モータの動作を示すタイミングチャート図、
【符号の説明】
１０  シャーシ
１１  磁気ヘッド
１２  キャプスタン
１４  フライホイール
１５  ヘッドベース
１５ａ  押圧片
１６  ピンチローラ
２０  切換ギヤ
２３  切換カム
２５ａ  プレイ突起（第１の係合部）
２５ｂ  ストッパ部（第２の係合部）
２５ｃ  第３の係合部
２５ｄ  第１の起伏部
２５ｅ  第２の起伏部
３０  駆動ギヤ
４０  アーム
５０  ロック部材
５３  ロック部
６０  ソレノイド
【図１】
0003619124.tif 000002
【図２】
0003619124.tif 000003
【図３】
0003619124.tif 000004
【図４】
0003619124.tif 000005
【図５】
0003619124.tif 000006
【図６】
0003619124.tif 000007